(57)【要約】【課題】スロットの割り当て方が異なる２つの移動通信システムへの対応に起因する周波数利用効率の低下を抑制することができる基地局装置およびスロット割当方法を提供する。【解決手段】デュアル基地局１０は、スロットの割り当て方が異なるＰＨＳおよびＸＧＰの双方に対応しており、所定の時間周期に含まれる複数のスロットの１つを用いて、ＰＨＳに対応したＰＨＳ端末２２の１つまたはＸＧＰに対応したＸＧＰ端末２４の１つ以上と通信する。デュアル基地局１０は、ＸＧＰ端末２４からの新規接続要求（Ｓ２００）に応じて、デュアル基地局１０と通信しているＰＨＳ端末２２をＰＨＳ基地局１２にハンドオーバさせる（Ｓ２０２〜Ｓ２０８）。そして、デュアル基地局１０は、ＰＨＳ端末２２のハンドオーバによって解放されるスロットにＸＧＰ端末２４を割り当てる（Ｓ２１０）。【選択図】図９
2010226622.tif 000002
【特許請求の範囲】
【請求項１】
所定の時間周期に含まれる複数のスロットの１つを用いて、第１の移動通信システムに対応した第１の移動局装置の１つまたは第２の移動通信システムに対応した第２の移動局装置の１つ以上と通信する基地局装置であって、
第２の移動局装置からの要求に応じて、当該基地局装置と通信している第１の移動局装置を他の基地局装置にハンドオーバさせるハンドオーバ指示手段と、
前記第１の移動局装置のハンドオーバによって解放されるスロットに前記第２の移動局装置を割り当てる手段と、
を含むことを特徴とする基地局装置。
【請求項２】
請求項１に記載の基地局装置において、
当該基地局装置の周波数利用効率を取得する周波数利用効率取得手段をさらに含み、
前記ハンドオーバ指示手段は、前記周波数利用効率が所定の閾値を下回る場合に、前記第１の移動局装置を前記他の基地局装置にハンドオーバさせる、
ことを特徴とする基地局装置。
【請求項３】
請求項２に記載の基地局装置において、
前記周波数利用効率は、当該基地局装置と通信している第１の移動局装置の数に基づいて決定される、
ことを特徴とする基地局装置。
【請求項４】
請求項２に記載の基地局装置において、
前記周波数利用効率は、当該基地局装置により送受されるデータの量に基づいて決定される、
ことを特徴とする基地局装置。
【請求項５】
請求項１から４のいずれかに記載の基地局装置において、
前記第２の移動局装置からの要求は、新規接続要求である、
ことを特徴とする基地局装置。
【請求項６】
請求項１から４のいずれかに記載の基地局装置において、
前記第２の移動局装置からの要求は、無線リソースの割り当て追加要求である、
ことを特徴とする基地局装置。
【請求項７】
所定の時間周期に含まれる複数のスロットの１つを用いて、第１の移動通信システムに対応した第１の移動局装置の１つまたは第２の移動通信システムに対応した第２の移動局装置の１つ以上と通信する基地局装置のスロット割当方法であって、
第２の移動局装置からの要求に応じて、前記基地局装置と通信している第１の移動局装置を他の基地局装置にハンドオーバさせるステップと、
前記第１の移動局装置のハンドオーバによって解放されるスロットに前記第２の移動局装置を割り当てるステップと、
を含むことを特徴とするスロット割当方法。
【発明の詳細な説明】
【技術分野】
【０００１】
本発明は、基地局装置およびスロット割当方法に関し、特に、スロットの割り当て方が異なる２つの移動通信システムに対応する基地局装置およびそのスロット割当方法に関する。
【背景技術】
【０００２】
異なる２つの移動通信システムが併存するエリアには、それら両システムに対応したいわゆるデュアルモード対応の基地局が設置されることがある。
【０００３】
たとえば、現在、ＴＤＭＡ／ＴＤＤ（Time Division Multiple Access/Time Division Duplex：時分割多元接続／時分割複信）方式を採用するＰＨＳ（Personal Handy-phone System、非特許文献１参照）と、ＯＦＤＭＡ（Orthogonal Frequency Division Multiple Access：直交周波数分割多元接続）方式およびＴＤＭＡ／ＴＤＤ方式を採用するＸＧＰ（eXtended Global Platform、非特許文献２参照）と、の双方に対応した基地局の導入が検討されている。これらのシステムでは、５ｍｓ周期のＴＤＭＡフレームに４組の送受信スロット（以下単に「スロット」という）が規定されている。また、ＰＨＳのスロットとＸＧＰのスロットとは相互に同期している。
【先行技術文献】
【非特許文献】
【０００４】
【非特許文献１】“RCR STD-28「第二世代コードレス電話システム」5.3版”、2008年９月２５日、社団法人電波産業会
【非特許文献２】“ARIB STD-T95「OFDMA/TDMA TDD Broadband Wireless Access System ARIBSTANDARD」1.0版”、平成１９年１２月１２日、社団法人電波産業会
【発明の概要】
【発明が解決しようとする課題】
【０００５】
しかしながら、無線機（無線通信部）が１つしかないデュアルモード対応の基地局では、２つの移動通信システム間におけるスロットの割り当て方の相違により周波数利用効率が低下することがある。
【０００６】
たとえば、ＸＧＰでは、各スロットに複数のＯＦＤＭＡサブチャネル（２．５ＧＨｚ帯）が規定されており、基地局は各スロットに１つ以上のＸＧＰ端末（ＸＧＰ対応の移動局）を割り当てることができる。一方、ＰＨＳでは、各スロットで使用できる無線チャネル（１．９ＧＨｚ帯）の数が１つに制限されているため、基地局は各スロットに１つのＰＨＳ端末（ＰＨＳ対応の移動局）しか割り当てることができない。
【０００７】
このため、ＰＨＳおよびＸＧＰの双方に対応した基地局は、ＰＨＳ端末を割り当てたスロットにＸＧＰ端末や他のＰＨＳ端末をさらに割り当てることができず、そのスロットにおける無線リソースを十分に活用することができない。
【０００８】
本発明は、スロットの割り当て方が異なる２つの移動通信システムへの対応に起因する周波数利用効率の低下を抑制することができる基地局装置およびスロット割当方法を提供することを目的とする。
【課題を解決するための手段】
【０００９】
上記課題を解決するために、本発明に係る基地局装置は、所定の時間周期に含まれる複数のスロットの１つを用いて、第１の移動通信システムに対応した第１の移動局装置の１つまたは第２の移動通信システムに対応した第２の移動局装置の１つ以上と通信する基地局装置であって、第２の移動局装置からの要求に応じて、当該基地局装置と通信している第１の移動局装置を他の基地局装置にハンドオーバさせるハンドオーバ指示手段と、前記第１の移動局装置のハンドオーバによって解放されるスロットに前記第２の移動局装置を割り当てる手段と、を含むことを特徴とする。
【００１０】
本発明によれば、基地局装置は、第２の移動局装置からの要求に応じて、当該基地局装置と通信している第１の移動局装置のいずれかを他の基地局装置にハンドオーバさせるとともに、ハンドオーバによって解放されたスロットに第２の移動局装置を割り当てる。このため、基地局装置は、スロットの割り当て方が異なる２つの移動通信システムへの対応に起因する周波数利用効率の低下を抑制することができる。
【００１１】
また、本発明の一態様では、前記基地局装置は、当該基地局装置の周波数利用効率を取得する周波数利用効率取得手段をさらに含み、前記ハンドオーバ指示手段は、前記周波数利用効率が所定の閾値を下回る場合に、前記第１の移動局装置を前記他の基地局装置にハンドオーバさせる。
【００１２】
この態様によれば、基地局装置は、第１の移動局装置との無線接続をできるだけ維持しつつ、スロットの割り当て方が異なる２つの移動通信システムへの対応に起因する周波数利用効率の低下を抑制することができる。
【００１３】
なお、この態様では、前記周波数利用効率は、当該基地局装置と通信している第１の移動局装置の数に基づいて決定されてもよいし、当該基地局装置により送受されるデータの量に基づいて決定されてもよい。
【００１４】
また、前記第２の移動局装置からの要求は、新規接続要求であってもよいし、無線リソースの割り当て追加要求であってもよい。
【００１５】
また、本発明に係るスロット割当方法は、所定の時間周期に含まれる複数のスロットの１つを用いて、第１の移動通信システムに対応した第１の移動局装置の１つまたは第２の移動通信システムに対応した第２の移動局装置の１つ以上と通信する基地局装置のスロット割当方法であって、第２の移動局装置からの要求に応じて、前記基地局装置と通信している第１の移動局装置を他の基地局装置にハンドオーバさせるステップと、前記第１の移動局装置のハンドオーバによって解放されるスロットに前記第２の移動局装置を割り当てるステップと、を含むことを特徴とする。
【図面の簡単な説明】
【００１６】
【図１】本発明の実施形態に係るデュアル基地局およびその周辺に位置する無線通信装置を示す図である。
【図２】ＰＨＳのチャネル構成およびＸＧＰのチャネル構成を示す図である。
【図３】本発明の実施形態に係るデュアル基地局によるスロット割り当ての一例を示す図である。
【図４】従来のデュアル基地局によるスロット割り当ての一例を示す図である。
【図５Ａ】本発明の実施形態に係るデュアル基地局によるスロット割り当ての一例を示す図である。
【図５Ｂ】本発明の実施形態に係るデュアル基地局によるスロット割り当ての一例を示す図である。
【図６】本発明の実施形態に係るデュアル基地局の機能ブロック図である。
【図７】記憶部に記憶される周波数利用効率テーブルを示す図である。
【図８】本発明の実施形態に係るスロット割当処理の一例を示すフロー図である。
【図９】本発明の実施形態に係るスロット割当処理の一例を示すシーケンス図である。
【発明を実施するための形態】
【００１７】
以下、本発明の一実施形態を図面に基づいて詳細に説明する。
【００１８】
図１は、本発明の実施形態に係るデュアル基地局１０およびその周辺に位置する無線通信装置を示す図である。デュアル基地局１０は、ＴＤＭＡ／ＴＤＤ方式を採用するＰＨＳ（第１の移動通信システム）と、ＯＦＤＭＡ方式およびＴＤＭＡ／ＴＤＤ方式を採用するＸＧＰ（第２の移動通信システム）と、の双方に対応した基地局であり、１つ以上のＰＨＳ端末２２（ここではＰＨＳ端末２２−１，２２−２のみを示す）および１つ以上のＸＧＰ端末２４（ここではＸＧＰ端末２４−１〜２４−４のみを示す）と多重通信を行う。
【００１９】
デュアル基地局１０は、ＰＨＳとＸＧＰとが併存するエリアに設置されるため、その周辺には、ＰＨＳに対応したＰＨＳ基地局１２およびＸＧＰに対応したＸＧＰ基地局１４が存在する。
【００２０】
図２は、ＰＨＳのチャネル構成およびＸＧＰのチャネル構成を示す図である。同図に示すように、ＰＨＳおよびＸＧＰでは、５ｍｓ周期のＴＤＭＡフレームに４つのスロット（４組の送受信スロット）が規定されており、ＰＨＳのスロットとＸＧＰのスロットとは相互に同期している。
【００２１】
ＸＧＰでは、各スロットに２．５ＧＨｚ帯に属する複数（たとえば９つ）のＯＦＤＭＡサブチャネル（以下単に「サブチャネル」という）が規定されており、デュアル基地局１０およびＸＧＰ基地局１４は、各スロットに１つ以上のＸＧＰ端末２４を割り当てることができる。なお、各ＸＧＰ端末２４に割り当てられる無線チャネルの最小単位はＰＲＵ（Physical Resource Unit）と呼ばれ、４つのスロット（Ｓｌｏｔ１〜Ｓｌｏｔ４）のいずれかと複数のサブチャネルのいずれかとに属する。
【００２２】
一方、ＰＨＳでは、各スロットで使用できる無線チャネル（１．９ＧＨｚ帯）の数が１つに制限されているため、デュアル基地局１０およびＰＨＳ基地局１２は、各スロットに１つのＰＨＳ端末しか割り当てることができない。このため、デュアル基地局１０は、ＰＨＳ端末２２を割り当てたスロットにＸＧＰ端末２４や他のＰＨＳ端末２２をさらに割り当てることができない。
【００２３】
図３は、デュアル基地局１０によるスロット割り当ての一例を示す図である。同図に示す例では、Ｓｌｏｔ１にＰＨＳ端末２２−１が、Ｓｌｏｔ２にＸＧＰ端末２４−１，２４−２が、Ｓｌｏｔ３にＸＧＰ端末２４−３，２４−４が、Ｓｌｏｔ４にＰＨＳ端末２２−２が、それぞれ割り当てられている。具体的には、Ｓｌｏｔ２に属する４つのＰＲＵ（ＸＧＰ１と表記）にＸＧＰ端末２４−１が、Ｓｌｏｔ２に属する５つのＰＲＵ（ＸＧＰ２と表記）にＸＧＰ端末２４−２が、Ｓｌｏｔ３に属する５つのＰＲＵ（ＸＧＰ３と表記）にＸＧＰ端末２４−３が、Ｓｌｏｔ３に属する４つのＰＲＵ（ＸＧＰ４と表記）にＸＧＰ端末２４−４が、それぞれ割り当てられている。Ｓｌｏｔ１，４はＰＨＳ端末２２−１，２２−２に占有されているため、Ｓｌｏｔ１，４に他のＸＧＰ端末２４を割り当てることはできない。
【００２４】
従来のデュアル基地局であれば、図３に示す状態においてＸＧＰ端末２４からの新規接続要求を受信すると、図４に示すように、Ｓｌｏｔ２またはＳｌｏｔ３に属する少なくとも１つのＰＲＵの割り当てを解放し、解放されたＰＲＵ（ＸＧＰ５と表記）にそのＸＧＰ端末２４を割り当てる。あるいは、図３に示す状態では、新規接続要求を受け付けない。いずれの場合でも、Ｓｌｏｔ１，４にはＰＨＳ端末２２−１，２２−２が割り当てられたままであるため、Ｓｌｏｔ１，４の２．５ＧＨｚ帯に存在する空きＰＲＵにＸＧＰ端末２４が割り当てられることはない。
【００２５】
これに対し、本実施形態に係るデュアル基地局１０は、図３に示す状態においてＸＧＰ端末２４からの新規接続要求を受信すると、図５Ａに示すように、デュアル基地局１０と通信しているＰＨＳ端末２２のいずれかにハンドオーバを指示する。そして、そのＰＨＳ端末２２がハンドオーバに成功すると、デュアル基地局１０は、図５Ｂに示すように、そのハンドオーバによって解放されたスロット（ここではＳｌｏｔ１とする）に属する少なくとも１つのＰＲＵ（ここではＸＧＰ５と表記）にそのＸＧＰ端末２４を割り当てる。
【００２６】
このように、デュアル基地局１０は、ＸＧＰ端末２４からの新規接続要求に応じて、当該デュアル基地局１０と通信しているＰＨＳ端末２２のいずれかをＰＨＳ基地局１２（または他のデュアル基地局１０）にハンドオーバさせるとともに、ハンドオーバによって解放されたスロットにそのＸＧＰ端末２４を割り当てる。こうして、デュアル基地局１０は、スロットの割り当て方が異なるＰＨＳおよびＸＧＰ双方への対応に起因する周波数利用効率の低下を抑制している。
【００２７】
以下では、上記処理を実現するためにデュアル基地局１０が備える構成について説明する。
【００２８】
図６は、デュアル基地局１０の機能ブロック図である。同図に示すように、デュアル基地局１０は、アンテナ３０、無線通信部３２、ＰＨＳ処理部３４、ＸＧＰ処理部３６、記憶部３８、および制御部４０（周波数利用効率取得部４２、ハンドオーバ指示部４４、スロット割当部４６）を含んで構成される。
【００２９】
アンテナ３０は、無線信号を受信し、受信された無線信号を無線通信部３２に出力する。また、アンテナ３０は、無線通信部３２から供給される無線信号をＰＨＳ端末２２またはＸＧＰ端末２４に対して送信する。
【００３０】
無線通信部３２は、低雑音増幅器、電力増幅器、周波数変換器、帯域通過フィルタ、Ａ／Ｄ変換器、およびＤ／Ａ変換器を含んで構成される。無線通信部３２は、アンテナ３０から入力される無線信号を低雑音増幅器で増幅し、中間周波数信号にダウンコンバートしてから、ディジタルに変換された信号をＰＨＳ処理部３４またはＸＧＰ処理部３６に出力する。無線通信部３２は、ＰＨＳ処理部３４またはＸＧＰ処理部３６から入力されるディジタル信号をアナログ信号に変換した後、無線信号にアップコンバートし、電力増幅器で送信出力レベルまで増幅してから、アンテナ３０に供給する。
【００３１】
なお、無線通信部３２から出力されるディジタル信号の出力先および無線通信部３２に入力されるディジタル信号の入力元は、その信号が送受されるスロットにＰＨＳ端末２２およびＸＧＰ端末２４のいずれが割り当てられているかに応じて切り替えられる。
【００３２】
ＰＨＳ処理部３４は、たとえばＤＳＰ（Digital Signal Processor）およびＤＳＰの動作を制御するプログラムで構成され、制御部４０の指示に従って、入力される信号に対しＰＨＳのプロトコルに応じた信号処理を行う。すなわち、ＰＨＳ処理部３４は、無線通信部３２から入力されるディジタル信号に対しＰＨＳのプロトコルに応じた復調および復号などの信号処理を行い、得られた受信データを制御部４０に出力する。また、ＰＨＳ処理部３４は、制御部４０から入力される送信データに対しＰＨＳのプロトコルに応じた変調などの信号処理を行い、得られたディジタル信号を無線通信部３２に出力する。
【００３３】
ＸＧＰ処理部３６は、たとえばＤＳＰおよびＤＳＰの動作を制御するプログラムで構成され、制御部４０の指示に従って、入力される信号に対しＸＧＰのプロトコルに応じた信号処理を行う。すなわち、ＸＧＰ処理部３６は、無線通信部３２から入力されるディジタル信号に対しＸＧＰのプロトコルに応じた復調（高速フーリエ変換を含む）および復号などの信号処理を行い、得られた受信データを制御部４０に出力する。また、ＸＧＰ処理部３６は、制御部４０から入力される送信データに対しＸＧＰのプロトコルに応じた変調（逆高速フーリエ変換を含む）などの信号処理を行い、得られたディジタル信号を無線通信部３２に出力する。
【００３４】
記憶部３８は、たとえば半導体メモリ素子で構成され、制御部４０によって使用される各種の制御プログラム、パラメータ、テーブルなどを記憶する。たとえば、記憶部３８は、スロットやＰＲＵの割り当てを管理する呼管理テーブル、ＰＨＳ端末収容数の増加に応じて周波数利用効率が低下するようＰＨＳ端末収容数（０〜４）と周波数利用効率（ここでは４〜０とする）とを対応づけた周波数利用効率テーブル（図７参照）などを記憶する。
【００３５】
制御部４０は、たとえばＣＰＵ（Central Processing Unit）およびＣＰＵの動作を制御するプログラムで構成され、デュアル基地局１０の各部を制御する。特に、制御部４０は、周波数利用効率取得部４２、ハンドオーバ指示部４４、およびスロット割当部４６を機能的に含み、４つのスロットそれぞれに対するＰＨＳ端末２２またはＸＧＰ端末２４の割り当てを制御する。
【００３６】
周波数利用効率取得部４２は、デュアル基地局１０の周波数利用効率を取得する。本実施形態では、周波数利用効率取得部４２が、デュアル基地局１０と通信しているＰＨＳ端末２２の数（ＰＨＳ端末収容数）に基づいて、周波数利用効率を取得するものとする。具体的には、周波数利用効率取得部４２は、デュアル基地局１０のＰＨＳ端末収容数に基づいて周波数利用効率テーブルから周波数利用効率を選択し、選択された周波数利用効率をデュアル基地局１０の周波数利用効率として取得する。
【００３７】
なお、周波数利用効率取得部４２は、周波数利用効率テーブルによらず、デュアル基地局１０のＰＨＳ端末収容数に基づいてデュアル基地局１０の周波数利用効率を算出してもよいし、デュアル基地局１０により送受されるデータの量に基づいてデュアル基地局１０の周波数利用効率を算出してもよい。
【００３８】
ハンドオーバ指示部４４は、ＸＧＰ端末２４からの新規接続要求に応じて、デュアル基地局１０と通信しているＰＨＳ端末２２のいずれかにハンドオーバを指示する。ただし、本実施形態では、デュアル基地局１０がＸＧＰ端末２４からの新規接続要求を受信した場合でも、デュアル基地局１０の周波数利用効率が所定の閾値以上であれば、ハンドオーバ指示部４４は、ＰＨＳ端末２２のいずれにもハンドオーバを指示しないものとする。すなわち、ＸＧＰ端末２４からの新規接続要求があり、かつ周波数利用効率取得部４２により取得されるデュアル基地局１０の周波数利用効率が所定の閾値を下回る場合に限り、デュアル基地局１０は、当該デュアル基地局１０と通信しているＰＨＳ端末２２のいずれかをＰＨＳ基地局１２または他のデュアル基地局１０にハンドオーバさせる。
【００３９】
たとえば、上記所定の閾値として「３」を設定しておけば、デュアル基地局１０の周波数利用効率が３未満である場合、すなわちデュアル基地局１０のＰＨＳ端末収容数が２以上である場合（４つのスロットのうち２つ以上がＰＨＳ端末２２によって占有されている場合）に限って（図７参照）、デュアル基地局１０は、当該デュアル基地局１０と通信しているＰＨＳ端末２２のいずれかにハンドオーバを指示することになるため、ＰＨＳ端末２２に対してハンドオーバの指示が出される頻度がより適正なものになる。
【００４０】
スロット割当部４６は、４つのスロットそれぞれに対するＰＨＳ端末２２またはＸＧＰ端末２４の割り当てを制御する。特に、ＸＧＰ端末２４からの新規接続要求に応じてハンドオーバ指示部４４がデュアル基地局１０と通信しているＰＨＳ端末２２のいずれかにハンドオーバを指示し、そのハンドオーバが成功した場合、スロット割当部４６は、そのＰＨＳ端末２２のハンドオーバによって解放されるスロットに属する少なくとも１つのＰＲＵに新規接続を求めるＸＧＰ端末２４を割り当てる。
【００４１】
なお、スロット割当部４６は、４つのスロットそれぞれに対するＰＨＳ端末２２またはＸＧＰ端末２４の割り当てを変更するたびに、記憶部３８に記憶される呼管理テーブルを更新する。
【００４２】
図８は、デュアル基地局１０がＸＧＰ端末２４からのＬＣＨ（Link Channel）割当要求（新規接続要求）を受信した場合に制御部４０（周波数利用効率取得部４２、ハンドオーバ指示部４４、スロット割当部４６）によって実行されるスロット割当処理の一例を示すフロー図である。
【００４３】
同図に示すように、まず、制御部４０は、デュアル基地局１０がＰＨＳ端末２２と通信しているか否かを確認する（Ｓ１００）。ここで、デュアル基地局１０がＰＨＳ端末２２と通信していれば（Ｓ１００：Ｙ）、デュアル基地局１０と通信しているＰＨＳ端末２２の数（ＰＨＳ端末収容数）に基づいてデュアル基地局１０の周波数利用効率を取得するとともに、取得された周波数利用効率が所定の閾値以上であるか否かを判定する（Ｓ１０２）。
【００４４】
デュアル基地局１０の周波数利用効率が所定の閾値を下回る場合（Ｓ１０２：Ｎ）、制御部４０は、デュアル基地局１０と通信しているＰＨＳ端末２２のいずれかにハンドオーバ指示が送信されるよう、ハンドオーバ指示メッセージを生成し、生成されたハンドオーバ指示メッセージをＰＨＳ処理部３４に出力する（Ｓ１０４）。その後、ハンドオーバを指示したＰＨＳ端末２２がハンドオーバに成功すると（Ｓ１０６：Ｙ）、制御部４０は、そのＰＨＳ端末２２が使用しているスロットを解放し、新規接続を求めるＸＧＰ端末２４に対して解放されたスロットに属するいずれかのＰＲＵを指定したＬＣＨ割当応答を送信する（Ｓ１０８）。
【００４５】
一方、デュアル基地局１０がＰＨＳ端末２２と通信していない場合（Ｓ１００：Ｎ）、デュアル基地局１０はＰＨＳ端末２２と通信しているがデュアル基地局１０の周波数利用効率が所定の閾値以上である場合（Ｓ１０２：Ｙ）、またはＳ１０４にてハンドオーバを指示したＰＨＳ端末２２がハンドオーバに失敗した場合（Ｓ１０６：Ｎ）、制御部４０は、デュアル基地局１０と通信中のＸＧＰ端末２４に使用されているＰＲＵの中に解放可能なものがあるか否かを判定する（Ｓ１１０）。ここで、解放可能なＰＲＵがある場合（Ｓ１１０：Ｙ）、制御部４０は、デュアル基地局１０と通信中のＸＧＰ端末２４に使用されている解放可能なＰＲＵのいずれかを解放し（Ｓ１１２）、新規接続を求めるＸＧＰ端末２４に対して解放されたＰＲＵを指定したＬＣＨ割当応答を送信する（Ｓ１０８）。
【００４６】
Ｓ１１０において、デュアル基地局１０と通信中のＸＧＰ端末２４に使用されているＰＲＵの中に解放可能なものがなければ（Ｓ１１０：Ｎ）、制御部４０は、新規接続を求めるＸＧＰ端末２４に対するＬＣＨ割当を拒否する（Ｓ１１４）。
【００４７】
図９は、デュアル基地局１０がＸＧＰ端末２４からのＬＣＨ割当要求（LCH Assignment Request）を受信した場合に、デュアル基地局１０と、ＸＧＰ端末２４と、デュアル基地局１０と通信中のＰＨＳ端末２２と、デュアル基地局１０の周辺に位置するＰＨＳ基地局１２と、の間で行われるスロット割当処理の一例を示すシーケンス図である。
【００４８】
同図に示すように、デュアル基地局１０がＸＧＰ端末２４からのＬＣＨ割当要求を受信すると（Ｓ２００）、デュアル基地局１０は、図８に示すＳ１００，Ｓ１０２の判定を行う。ここで、デュアル基地局１０の周波数利用効率が所定の閾値を下回る場合、デュアル基地局１０は、デュアル基地局１０と通信しているＰＨＳ端末２２のいずれかにハンドオーバ指示（HO Indication）を送信する（Ｓ２０２）。
【００４９】
デュアル基地局１０からのハンドオーバ指示を受信したＰＨＳ端末２２は、それまでに取得している周辺のＰＨＳ基地局１２のサーチ結果（各ＰＨＳ基地局１２から定期的に送信される報知信号の受信レベルなど）に基づいて、ハンドオーバ先となるＰＨＳ基地局１２（他のデュアル基地局１０でもよい）を決定する。次に、ＰＨＳ端末２２は、ハンドオーバ先として決定されたＰＨＳ基地局１２に対して、リンク確立要求（Link Establishment Request）を送信する（Ｓ２０４）。
【００５０】
その後、ＰＨＳ端末２２がＰＨＳ基地局１２からのリンク確立割当（Link Establishment Assignment）を受信すると（Ｓ２０６）、ＰＨＳ端末２２は、デュアル基地局１０に対して無線接続の切断（Disconnect）を要求する（Ｓ２０８）。
【００５１】
ＰＨＳ端末２２から無線接続の切断を要求されたデュアル基地局１０は、そのＰＨＳ端末２２が使用しているスロットを解放し、Ｓ２００でＬＣＨ割当要求を送信したＸＧＰ端末２４に対して解放されたスロットに属するいずれかのＰＲＵを指定したＬＣＨ割当応答（LCH Assignment Response）を送信する（Ｓ２１０）。
【００５２】
以上説明した実施形態によれば、デュアル基地局１０が、ＸＧＰ端末２４からの新規接続要求に応じて、当該デュアル基地局１０と通信しているＰＨＳ端末２２のいずれかを周辺のＰＨＳ基地局１２（または他のデュアル基地局１０）にハンドオーバさせるとともに、ハンドオーバによって解放されたスロットにそのＸＧＰ端末２４を割り当てる。このため、デュアル基地局１０は、スロットの割り当て方が異なるＰＨＳおよびＸＧＰ双方への対応に起因する周波数利用効率の低下を抑制することができる。
【００５３】
なお、本発明は、上記実施形態に限定されるものではない。
【００５４】
たとえば、以上の説明では、デュアル基地局１０がその周波数利用効率に基づいてＰＨＳ端末２２にハンドオーバ指示を出すか否かを決定する例を示したが、デュアル基地局１０は、その周波数利用効率に関係なくＰＨＳ端末２２にハンドオーバを指示してもよいし、伝搬路環境に応じて変化する他のパラメータに基づいてハンドオーバ指示を出すか否かを決定してもよい。
【００５５】
また、上記実施形態では、デュアル基地局１０がＸＧＰ端末２４からの新規接続要求に応じてＰＨＳ端末２２にハンドオーバ指示を出す例を示したが、デュアル基地局１０は、ＸＧＰ端末２４からのＰＲＵ（無線リソース）の割り当て追加要求に応じてＰＨＳ端末２２にハンドオーバ指示を出してもよい。
【００５６】
もちろん、本発明は、ＰＨＳおよびＸＧＰの双方に対応する基地局に限らず、スロットの割り当て方が異なる２つの移動通信システムに対応する基地局全般に広く適用可能である。
【符号の説明】
【００５７】
１０  デュアル基地局、１２  ＰＨＳ基地局、１４  ＸＧＰ基地局、２２  ＰＨＳ端末、２４  ＸＧＰ端末、３０  アンテナ、３２  無線通信部、３４  ＰＨＳ処理部、３６  ＸＧＰ処理部、３８  記憶部、４０  制御部、４２  周波数利用効率取得部、４４  ハンドオーバ指示部、４６  スロット割当部。
【図１】
2010226622.tif 000003
【図２】
2010226622.tif 000004
【図３】
2010226622.tif 000005
【図４】
2010226622.tif 000006
【図５Ａ】
2010226622.tif 000007
【図５Ｂ】
2010226622.tif 000008
【図６】
2010226622.tif 000009
【図７】
2010226622.tif 000010
【図８】
2010226622.tif 000011
【図９】
2010226622.tif 000012